(57)【要約】【課題】この発明は、外壁と、その下部に設けた屋根との防水を目的としたものである。【解決手段】この発明は、建物の外壁と、該外壁の下部に設けた屋根との防水装置において、前記外壁に所定間隔で側面視Ｌ状の支持部材の縦片を当接固定し、前記支持部材の外側と屋根材との間に防水材を被着して該防水材の上下部を当接固定し、前記防水材上へ前記支持部材に添って押さえ部材を固定したことを特徴とする壁と屋根との防水装置により、目的を達成した。【選択図】図１
2008208686.tif 000002
【特許請求の範囲】
【請求項１】
建物の外壁と、該外壁の下部に設けた屋根との間の防水装置において、前記外壁に所定間隔で側面視Ｌ状の支持部材の縦片を当接固定し、前記支持部材の外側と屋根材との間に防水材を被着して該防水材の上下部を当接固定し、前記防水材上へ前記支持部材に添って押さえ部材を固定したことを特徴とする壁と屋根との防水装置。
【請求項２】
建物の外壁と、該外壁の下部に設けた屋根との間の防水装置において、前記外壁に所定間隔で側面視Ｌ状の支持部材の縦片を当接固定し、前記支持部材の横片上へ、取付部材を設置し、該取付部材と屋根との間に防水シートを被着し、該防水シートの上下部を当接固定し、前記支持部材と防水シートの外側へ側面視Ｌ状の金属板を当接固定したことを特徴とする壁と屋根との防水装置。
【請求項３】
建物の外壁と、該外壁の下部に設けた屋根との間の防水装置において、前記外壁に所定間隔で側面視Ｌ状の支持部材の縦片を当接固定し、前記支持部材の横片上へ、取付部材を設置し、前記取付部材の上部へ防水シートの上端部を当接固定し、前記防水シートの下端縁は、案内板を介して、側面視逆く字状に屈折し、該屈折部の下面と、屋根材の上面とは弾性接着材を介して当接固定し、前記支持部材の外側へ側面視Ｌ状の金属板を当接固定したことを特徴とする壁と屋根との防水装置。
【請求項４】
建物の外壁と、該外壁の下部に設けた屋根との間の防水装置において、前記外壁に所定間隔で側面視Ｌ状の支持部材の縦片を当接固定し、前記支持部材の横片上へ、取付部材を設置し、前記取付部材の上部へ防水シートの上端部を当接固定し、前記防水シートの下端縁は、案内板を介して、側面視く字状に屈折し、該屈折部の下面と、屋根材の上面とへ弾性接着材を介して当接固定し、前記支持部材の外側へ側面視Ｌ状の金属板を当接固定したことを特徴とする壁と屋根との防水装置。
【請求項５】
建物の外壁と、該外壁の下部に設けた屋根との間の防水装置において、前記外壁に所定間隔で側面視Ｌ状の支持部材の縦片を当接固定し、前記支持部材の外側へ側面視Ｌ状の金属板を当接固定し、前記支持部材の先端側下面に溝部を設け、上端を溝部へ挿入し、下部を屋根材と対向させた側面視Ｌ状板を介装し、該Ｌ状板の下部と、屋根材との間にスポンジ条を介在して該部を接着固定したことを特徴とする壁と屋根との防水装置。
【請求項６】
建物の外壁と、該外壁の下部に設けた屋根との間の防水装置において、前記外壁下部と屋根下地上へ防水シートを被着すると共に、前記防水シートの上部と、屋根材との間に防水材を被着し、該防水材の上端部と下端部を、前記外壁及び屋根材上へ夫々当接固定し、前記防水材の立上り部の外側へ、外装材を被着したことを特徴とする壁と屋根との防水装置。
【発明の詳細な説明】
【技術分野】
【０００１】
この発明は建造物の外壁であって、垂直壁とその下方に設けた屋根との接合部近傍の防水を目的とした壁と屋根との防水装置に関する。
【背景技術】
【０００２】
従来垂直外壁と、その下部の屋根瓦との間に雨押さえ板と縦向き板とを組み合わせたシール装置が提案されている。
【０００３】
また立上げ板と、包被部からなる雨押さえ材が提案されている。
【特許文献１】特開平１１−１１７４６４号公報
【特許文献２】特許第３１６４９１４号公報
【発明の開示】
【発明が解決しようとする課題】
【０００４】
従来知られている技術は、屋根瓦と、基板との間をシール体で埋める構造を必須要件としている（特許文献１）。
【０００５】
また他の発明は、壁の外装材の外側へ立上げ板と包被部よりなる雨押さえ材を設置して被包する構造を要件とするものである（特許文献２）。
【０００６】
前記従来例は、夫々特色があって、効果を揚げているが、この発明は、前記公知の発明とは異なる構造によって、施工の容易性と、防水の確実性を図るものであるが、柔軟性に欠ける問題点があった。
【課題を解決するための手段】
【０００７】
この発明は、外壁に固定する支持部材と、防水シートなどの防水材を利用して、外壁と、屋根との交叉隅部を水密に被覆するものであって、これにより、労力少なく、施工性良好で確実に防水処理することができるようになり、前記従来の問題点を改善したのである。
【０００８】
即ちこの発明によれば、建物の外壁と、該外壁の下部に設けた屋根との間の防水装置において、前記外壁に所定間隔で側面視Ｌ状の支持部材の縦片を当接固定し、前記支持部材の外側と屋根材との間に防水材を被着して該防水材の上下部を当接固定し、前記防水材上へ前記支持部材に添って押さえ部材を固定したことを特徴とする壁と屋根との防水装置であり、建物の外壁と、該外壁の下部に設けた屋根との間の防水装置において、前記外壁に所定間隔で側面視Ｌ状の支持部材の縦片を当接固定し、前記支持部材の横片上へ、取付部材を設置し、該取付部材と屋根との間に防水シートを被着し、該防水シートの上下部を当接固定し、前記支持部材と防水シートの外側へ側面視Ｌ状の金属板を当接固定したことを特徴とする壁と屋根との防水装置である。
【０００９】
前記発明においては、支持部材と取付部材を別製にして、支持部材の横片上へ取付部材を設置したが、取付部材に支持部材を突設すれば（支持部材と、取付部材を一体成形する）、支持部材の固定のみで取付部材は固定される。
【００１０】
また、建物の外壁と、該外壁の下部に設けた屋根との間の防水装置において、前記外壁に所定間隔で側面視Ｌ状の支持部材の縦片を当接固定し、前記支持部材の横片上へ、取付部材を設置し、前記取付部材の上部へ防水シートの上端部を当接固定し、前記防水シートの下端縁は、案内板を介して、側面視逆く字状に屈折し、該屈折部の下面と、屋根材の上面とは弾性接着材を介して当接固定し、前記支持部材の外側へ側面視Ｌ状の金属板を当接固定したことを特徴とする壁と屋根との防水装置であり、建物の外壁と、該外壁の下部に設けた屋根との間の防水装置において、前記外壁に所定間隔で側面視Ｌ状の支持部材の縦片を当接固定し、前記支持部材の横片上へ、取付部材を設置し、前記取付部材の上部へ防水シートの上端部を当接固定し、前記防水シートの下端縁は、案内板を介して、側面視く字状に屈折し、該屈折部の下面と、屋根材の上面とへ弾性接着材を介して当接固定し、前記支持部材の外側へ側面視Ｌ状の金属板を当接固定したことを特徴とする壁と屋根との防水装置である。
【００１１】
更に、建物の外壁と、該外壁の下部に設けた屋根との間の防水装置において、前記外壁に所定間隔で側面視Ｌ状の支持部材の縦片を当接固定し、前記支持部材の外側へ側面視Ｌ状の金属板を当接固定し、前記支持部材の先端側下面に溝部を設け、上端を溝部へ挿入し、下部を屋根材と対向させた側面視Ｌ状板を介装し、該Ｌ状板の下部と、屋根材との間にスポンジ条を介在して該部を接着固定したことを特徴とする壁と屋根との防水装置である。前記Ｌ状板は例えば金属板又は合成樹脂板である。
【００１２】
また他の発明は、建物の外壁と、該外壁の下部に設けた屋根との間の防水装置において、前記外壁下部と屋根下地上へ防水シートを被着すると共に、前記防水シートの上部と、屋根材との間に防水材を被着し、該防水材の上端部と下端部を、前記外壁及び屋根材上へ夫々当接固定し、前記防水材の立上り部の外側へ、外装材を被着したことを特徴とする壁と屋根との防水装置である。
【００１３】
前記において、支持部材は、金属板と共同して防水シートの上端部を固定すると共に、防水シートの中間部を堅固に支承し、ついで下端部を屋根瓦上へ固定する。また前記取付部材の材質は、特定しないが、木板又は合成樹脂板などの保釘性のある材料は使用することができる。
【００１４】
前記防水シートの下端部（屋根材当接部）は、蛇腹加工、波加工又はプリーツ加工などにより、横方向の長さに余裕を持たせて、屋根材の表面長さの変化に対応し、水密固定できるようにしてある。
【００１５】
この発明は、支持部材、金属板、防水シート又は支持部材及び二枚の金属板を使用した点にも特徴があり、これにより施工性の改善及び剛性、保形性を強めている。
【発明の効果】
【００１６】
この発明は、支持部材及び金属板を使用したので施工性が良好であって、熟練者でなくても容易確実に良質の作業ができる効果がある。
【００１７】
また防水シートを使用したので、封塞性の維持を容易にし、かつ曲面を有する屋根瓦などとの当接性を良好にすると共に、接着剤による固定ができる効果がある。
【発明を実施するための最良の形態】
【００１８】
この発明は、建物の外壁に所定間隔（例えば５０ｃｍ〜１ｍ間隔）で側面視Ｌ状の支持部材の縦片を当接固定し、前記支持部材の横材上へ取付材を設置し、該取付部材の先端側へ防水シートの上端部を当接し、前記防水シートの下端は、屋根瓦上へ当接固定し、前記支持部材の外側へ、側面視Ｌ状の金属板を当接固定して、この発明の壁と屋根との防水装置を完成した。
【００１９】
前記装置によれば、壁と屋根との当接部は、金属板と、防水シートによって確実に所定の形状を保って被覆されると共に、水密性を保持して当初の目的を達成することができた。前記装置の各部は、支持部材、金属板で一定の形状を保ち、かつ保形の耐久性を有し、防水シートによって、瓦などが多様の形状をしている場合でも、変形し易い防水シートを使用しているので、なじみ易く、水密の目的を達成することができる。
【実施例１】
【００２０】
この発明の実施例を図１、２について説明すると、垂直の外壁９の適当な高さの位置へ、側面視く字状の金属具１（支持部材、例えば厚さ２ｍｍ、幅２０ｍｍ、長さ（縦方向）２５０ｍｍ）の上部を０．５〜１ｍ間隔で釘２により固定し、その外側へ合成樹脂製の防水シート３を被着し、前記防水シート３の上部外側３ａへ前記金具１と相似形の金具４を被着し、前記金具１、４を重ねて固定する。
【００２１】
前記防水シート３の下端部３ｂは屋根瓦５上へゴム系の接着剤６を介して固定し、この発明の防水装置１０を構成した。図中１１は目地材、２６はルーフィングであって、縦壁から屋根下地上へ防水用に敷設してある。
【００２２】
前記実施例においては、防水シートとして例えばクロロフルフォン化ポリエチレン（以下「ＣＲＳＰ」という）シートを用いる。該ＣＲＳＰシートは、耐候性、耐久性、耐油性を有し、かつ弾性があり、屋根材などに長期間（例えば１０年以上）使用しても強度低下、変質、その他不安材料はないことが永年の実施上明らかになった。前記ＣＲＳＰは各種特性を備え、屋根材の他、エスカレーターのハンドレール、自動車用ベルト、自動車用ホース、電線ジャケット、防舷材、橋梁のケーブルカバー、ルーフィングなどに使用され、布引きにしてボート船体などのように苛酷な条件下でも長期間使用に耐え得るとされている。
【００２３】
前記実施例において、ＣＲＳＰシートと、屋根瓦との接着には例えばブチルゴムなどのゴム系の接着剤を使用する。またＣＲＳＰシート相互の接着は、加熱接着することもできる。前記において、防水シートとしてＣＲＳＰシートを用いたが、前記の他クロロプレンナム、エチレンプロピレンゴムなどのオレフィン系シート又はエステル系、アミド系などのシートの他アルミ箔シートを使用することができる。
【実施例２】
【００２４】
この発明の他の実施例を図３、４について説明すると、垂直の外壁９の適所へ、側面視く字状の金具１（支持部材）の縦片１ａを０．５〜１ｍ間隔で釘２により固定し、前記金具１の横片１ｂ上へ、断面矩形の取付部材７を設置し、前記取付部材７の上部へ、防水シート３の上端部３ａを当接固定し、前記防水シート３の下端縁部３ｂは屋根瓦５の上面へゴム系の接着剤６で接着固定する。前記金具１の上部へ側面視く字状の金属板８の縦板８ａを釘２により外壁９へ固定すると共に、金属板８の横板８ｂを前記防水シート３の上部へ重ねて釘２により前記取付部材７に固着し、前記金属板８の横板８ｂの端部に屈曲板８ｃを連接して、前記取付部材７の木端面へ、前記防水シート３を押圧し、前記屈曲板８ｃの下縁を側方へ屈曲して、水切り板８ｄを形成し、前記屈曲板８ｃを取付部材７の木端に釘２で固着して、この発明の防水装置１０を構成した。図中１１は水密用の目地材、１２は屋根１３へ固定した瓦止め用の突条、２６はルーフィングであって、縦壁から屋根下地上へ防水用に敷設してある。
【００２５】
前記実施例によれば、取付部材７によって、金具１、金属板８及び防水シート３を堅固に安定させているから、完成後の変形がなく、長く同一外観を保有することができる。前記取付部材７としては、木材、合成樹脂板などが用いられる。
【００２６】
次に、図４の実施例は、防水シート３の下端縁部３ｂを屋根瓦５の上面へゴム系の接着剤６で接着固定するに際し、前記ゴム系の接着剤６内へ、金網条１４（例えばステンレスメッシュ）を埋設乃至当接したが、この構造以外は、図３と同一につき、その構造、作用、効果の説明を省略した。
【実施例３】
【００２７】
この発明の他の実施例を図５、６、７について説明すると、垂直の外壁９の適所へ、側面視く字状の金具１（支持部材）の縦片１ａを０．５〜１ｍ間隔で釘２により固定し、前記金具１の横片１ｂ上へ、断面矩形の取付部材７を設置し、前記取付部材７の上部へ、防水シート３の上端部３ａを当接固定し、前記防水シート３の下端縁部３ｂの内側へ、側面視逆く字状の案内条１５を当接して前記下端縁部３ｂを屈曲し、その横状部（瓦面と平行な面）を、屋根瓦５の上面へゴム系の接着剤６で接着固定する。前記金具１の上部へ側面視く字状の金属板８の縦板８ａを釘２により外壁９へ固定すると共に、金属板８の横板８ｂを前記防水シート３の上部へ重ね、前記金属板８の横板８ｂの端部に屈曲板８ｃを連接して、前記取付部材７の木端面へ、前記防水シート３を押圧し、前記屈曲板８ｃ縁を側方へ屈曲して、水切り板８ｄを形成し、前記屈曲板８ｃを取付部材７の木端に釘２で固定して、この発明の防水装置１０を構成した。図中１１は水密用の目地材、１２は屋根１３へ固定した瓦止め用の突条、２６はルーフィングであって、縦壁から屋根下地上へ防水用に敷設してある。
【００２８】
前記図５の実施例によれば、最も変形し易く、剥がれ易い防水シート３の下端縁の接着構造を特定し、変形抵抗を大きくしたので、該部に外力が作用しても（例えば台風などの風圧）、長く同一形状を保有し、防水構造の破綻を未然に防止することができる効果がある。
【００２９】
次に図６の実施例は、図５の実施例の案内条１５に代えて、側面視く字状の案内条１６を防水シート３の下端縁部３ｂに添設使用した点以外は、図５の実施例と実質的に同一に付き、その構造、作用、効果の説明を省略した。
【００３０】
前記図５、６の接着剤６内へ、図４の実施例のような金網条を埋設することもできる。
【００３１】
前記図５、６における案内条１５、１６は、防水シート３の案内であって、下部は防水シート３の下端縁部３ｂを押圧セットし、上部１５ａ、１６ａは、少なくとも取付部材７の木端を覆い、更に取付部材７上で、金属板８と共同して防水シート３を挟着して、これを安定固定している。
【００３２】
次に図７の実施例は、図５の実施例中、防水シート３の上端部を金具１の縦片１ａと、金属板８の縦板８ａとによって挟着したものに相当する。従って、作用効果は、実施例３の図５の実施例と全く同一であるから、詳細な説明を省略する。
【００３３】
次に図８の実施例は、図７の実施例の取付部材７を金具１の横片１ｂの下部へ固定したものであって、その他の構造は図７と同一につき、作用効果の説明を省略した。
【実施例４】
【００３４】
この発明の実施例を図９、１０について説明すると、外壁９の適所へ側面視く字状の金具１（支持部材）の縦片１ａを０．５〜１ｍの間隔で、釘２により外壁９に固定し、前記金具１の横片１ｂの先端部下面へ、２枚の突片１７、１７を所定間隔（例えば５ｃｍ間隔）で突設する。前記金具１の外側へ、前記金具１と相似形に屈折した、側面視く字状の金属板８（例えばＧＬ、亜鉛メッキ鋼板）を当接し、該金属板８の縦板８ａを、前記金具１の縦片１ａに重ねて釘２で固定すると共に、金属板８の横板８ｂを、前記金具１の横片１ｂに当接（重ねる）する。前記金属板８の横板８ｂの端縁８ｃを側面視逆コ状に形成し、水切り縁とする。
【００３５】
前記突片１７、１７の間へ、側面視Ｌ状の金属板１８の縦板１８ａの上端を挿入し、前記金属板１８の下端部１８ｂの下部にスポンジ条１９を当接固定し、前記スポンジ条１９の下面と、屋根瓦５の上面との間にブチルゴム接着条２１を介装して固定し、この発明の防水装置２０を構成した。図中１１は目地材、１２は屋根１３に固定した瓦止め用の突条である。前記実施例には、前記実施例の図３〜６に使用している取付部材は用いてない。
【００３６】
前記実施例によれば、防水シートを使用することなく、金属板によって防水装置２０を構成したものであって、耐変形性がきわめて大きい特質がある。
【００３７】
次に図１０の防水装置２０は、図９の実施例の金属板１８を側面視逆Ｌ状に配置した金属板２２としたものであり、他部品及び作用効果は全部同一に付き、その構造、作用、効果の説明を省略した。
【００３８】
前記実施例の図１０は、図９の実施例と同様に形状の剛性が大きく、少々の外力によっては変形又は破壊しない強度を保有している。
【実施例５】
【００３９】
この発明の実施例を図１１、１２について説明すると、外壁９の適所へ、側面視Ｌ字状の金具１（支持部材）縦片１ａを０．５ｍ〜１ｍの間隔で釘２により外壁９に固定し、前記金具１の横片１ｂの先端部下面へ、鉤片２３を突設し、該鉤片２３へ金属板２４の上端の屈曲部２４ａを掛止して、前記金属板２４の他端を垂直方向へ延長する。
【００４０】
前記金具１の縦片１ａの外側へ、側面視く字状の金属板８を当接し、該金属板８の横板８ｂは、前記金具１の横片１ｂに支持させた取付部材７上へ延長し、前記取付部材７の木端で下方へ直角に屈曲８ｃし、その端部を横方向に屈曲して水切り板８ｄを形成した。
【００４１】
前記取付部材７と金属板８の横板８ｂとの間へ防水シート３の上端部を挟着し、該防水シート３の右側３ａを、前記取付部材７の木端に沿って屈曲すると共に、前記金属板２４に沿って下方へ延長し、その下端部は、屋根瓦５の上面に平行に壁側への屈曲部３ｂを設け、該屈曲部３ｂの下部へ接着剤２１を介装し、上部へ押さえ板２５を当接して屋根瓦５上へ当接固定してある。図中２、２は各材料の固定釘、２６はルーフィングであって、縦壁から屋根下地上へ防水用に敷設してある。
【００４２】
前記実施例によれば、防水シート３は、取付部材７と、屋根瓦５との間で緊張して張設され、堅固に設置状態を保つことができる。特に金属板２４は風圧などに耐えて、防水シート３の変形を未然に防止することができる。
【００４３】
この発明を他の実施例を図１２について説明する。この実施例は、前記実施例（図１１）に比し、取付端材７の木端を金属で覆うか否かに帰し、他は同一であって、作用効果も同一に付説明を省略する。
【実施例６】
【００４４】
次にこの発明の他の実施例を図１３について説明すると、外壁９に、ルーフィング２７の上部と、防水シート３の上部とを固定し、前記ルーフィング２７の下部は、屋根下地２８上へ敷設固定し、前記防水シート３の下部は屋根瓦５上へ、接着剤６を介して当接固着する。
【００４５】
前記防水シート３の縦シートの外側へ外装２９を当接固定する。図中３０はルーフィング２７及び防水シート３の固定板である。
【００４６】
この実施例は、ルーフィング２７及び防水シート３によって外壁９と、これに連設した屋根との防水を行うものである。図中１１は目地材、１２は屋根瓦止めの突条、４０は壁下地シートである。
【実施例７】
【００４７】
次に防水シート３１の下端部の構造を図１４（ａ）、（ｂ）、（ｃ）について説明すると、図１４（ａ）中防水シート３１（例えばＣＲＳＰ、その他のゴム系シート又はアルミ箔）に織物３２（又は不繊布）を一体的に層着して防水材３３とし、その端部（屋根瓦当接剤）逆コ状部３１ａに屈曲し、逆コ状部３１ａの内部へ金網条３４を挟着すると共に、前記逆コ条部３１ａの下部へブチルゴムなどの接着剤３５を介装させたものである。
【００４８】
前記逆コ状部３１ａを下圧し、前記接着剤３５を屋根材に固定することができる。
【００４９】
また図１４（ｂ）について説明すれば、ゴムに繊維を練り込んだ材料より成形した防水材３６の端部に逆コ状部３６ａを形成し、該逆コ状部３６ａの内側に、金網条３４を内装し、前記逆コ状部３６の下部へ接着剤３５を介装させたものである。従って、前記逆コ状部３６を下圧することにより、前記接着剤３５で屋根材に固定することができる。
【００５０】
次に図１４（ｃ）について説明すれば、防水シート３１とエキスパンドメタル３７（金網でもよい）と、ＰＥ系シート３８とを一体的に層着した防水材３９の端部を逆コ状部３９ａに形成し、前記逆コ状部３９ａの下部へ接着剤３５を介装したものである。前記逆コ状部３９ａを下圧すれば、接着剤３５により屋根材に固定することができる。
【００５１】
前記において用いた金網条３４に代えて、エキスパンドメタル条を用いることもできる。
【図面の簡単な説明】
【００５２】
【図１】この発明の実施例の一部を切断し、一部を省略した側面図。
【図２】同じく一部を省略した正面図。
【図３】同じく他の実施例の一部を切断し、一部を省略した側面図。
【図４】同じく他の実施例の一部を切断し、一部を省略した側面図。
【図５】同じく他の実施例の一部を切断し、一部を省略した側面図。
【図６】同じく他の実施例の一部を切断し、一部を省略した側面図。
【図７】同じく他の実施例の一部を切断し、一部を省略した側面図。
【図８】同じく他の実施例の一部を切断し、一部を省略した側面図。
【図９】同じく他の実施例の一部を切断し、一部を省略した側面図。
【図１０】同じく他の実施例の一部を切断し、一部を省略した側面図。
【図１１】同じく他の実施例の一部を切断し、一部を省略した側面図。
【図１２】（ａ）同じく他の実施例の一部を切断し、一部を省略した側面図、（ｂ）同じく金具先端部の側面図、（ｃ）同じく一部断面図。
【図１３】同じく他の実施例の一部を切断し、一部を省略した側面図。
【図１４】（ａ）同じく防水シートの端部と屋根材との接着構造を示す一部断面拡大図、（ｂ）同じく他の実施例の一部断面拡大図、（ｃ）同じく他の実施例の一部断面拡大図。
【符号の説明】
【００５３】
１、４  金具
２  釘
３  防水シート
５  屋根瓦
６  接着剤
７  取付部材
８  金属板
９  外壁
１０、２０  防水装置
１１  目地材
１２  突条
１３  屋根
１４  金網条
１５、１６  案内条
１７  突片
１８  金属板
【図１】
2008208686.tif 000003
【図２】
2008208686.tif 000004
【図３】
2008208686.tif 000005
【図４】
2008208686.tif 000006
【図５】
2008208686.tif 000007
【図６】
2008208686.tif 000008
【図７】
2008208686.tif 000009
【図８】
2008208686.tif 000010
【図９】
2008208686.tif 000011
【図１０】
2008208686.tif 000012
【図１１】
2008208686.tif 000013
【図１２】
2008208686.tif 000014
【図１３】
2008208686.tif 000015
【図１４】
2008208686.tif 000016